(57)【要約】【課題】ポット類に適した簡単な構造で、吐出流の乱れや流量に影響しにくい手法で衝突勢力を低減し、吐出流の乱れや付勢が原因した、吐出口ではもとより器側でのはね返りや飛び散りを防止できるようにする。【解決手段】吐出手段１ａによって付勢される貯液２を吐出路６にてポット１００上部へ導きポット１００外に下向きに吐出する吐出開口３ａを持った吐出口構造において、吐出開口３ａに向かう吐出流２ａにより外気４を吐出流中に吸入する外気吸入口５を、吐出口３を含む吐出口近傍に設けたことにより、上記の目的を達成する。【選択図】図２
2011092608.tif 000002
【特許請求の範囲】
【請求項１】
吐出手段によって付勢される貯液を吐出路にてポット上部へ導きポット外に下向きに吐出する吐出開口を持った吐出口構造において、吐出開口に向かう吐出流により外気を吐出流中に吸入する外気吸入口を、吐出口を含む吐出口近傍に設けたことを特徴とする定置型ポットの吐出口構造。
【請求項２】
吐出手段によって付勢される貯液を吐出路によりポット上部へ導きポット外に下向きに吐出する吐出開口を持った吐出口構造において、吐出開口に向かう吐出流に従動して回転するスクリューを吐出口の吐出開口の上流に設けたことを特徴とする定置型ポットの吐出口構造。
【請求項３】
吐出手段によって付勢される貯液を吐出路によりポット上部へ導きポット外に下向きに吐出する吐出開口を持った吐出口構造において、吐出開口に向かう吐出流により外気を吐出流中に吸入する外気吸入口を、吐出口を含む吐出口近傍に設け、吐出開口に向かう吐出流を整流する手段を吐出口の吐出開口の上流に設けたことを特徴とする定置型ポットの吐出口構造。
【請求項４】
整流手段は、スクリューである請求項３に記載の定置型ポットの吐出口構造。
【発明の詳細な説明】
【技術分野】
【０００１】
本発明は、定置状態で貯液を電動ポンプや手動ポンプによって吐出し、飲料や調理用などに利用されるようにする定置型ポット類の吐出口構造に関するものである。
【背景技術】
【０００２】
このようなポット類は家庭用の電気ポットで広く採用されている。多くの場合、貯液の吐出方式として、電動ポンプにより内容液を送り出すか、手動ポンプにより貯液域に空気を送り込んで貯液を押し出すかしているが、吐出流を勢い付ける。吐出流のこのような勢い付けは、吐出流が器に受け入れられる際に、器の内面や液面に衝突して飛び散りの原因になる。このような飛び散りはまわりを濡らしたり、熱湯では人の手などに及んで熱い思いをさせたりする。
【０００３】
このような飛び散りは、水栓などでの吐出水とシンクや器などとの間でも生じる古くからの課題である。下記特許文献１は、水栓などでの吐出水の飛び散りやシンクへの落下音の軽減を防止し、また軽減する昭和６１年の特許公告公報に開示の吐出水を泡沫化する泡沫吐出水を行う従来技術、平成１年の先願に係る改良技術を示しながら、さらなる課題を解決する泡沫吐水口を開示している。
【０００４】
ところで、ポット類の吐出口構造での吐出流の飛び散りの問題は、水栓などでのそれとはいささか異質で軽度でもあり、特許文献１に開示の技術は価格的にも、機能的にも見合わない。しかし、熱湯の場合の危険解消は水栓などよりも必須となる。
【０００５】
下記特許文献２は、定置型の電気湯沸器において、液体が揚水手段により揚水パイプの下向きな先端開口部まで移送されて後吐出される際、先端開口部の下に取り付けた吐出口内の飛び散り防止手段に一度衝突させ、揚水手段による付勢を消勢し、飛び散り防止手段の穴を通して液体が自然落下し、液体の飛び散りを防止する技術を開示している。
【０００６】
また、下記特許文献３は、吐出流の飛び散りを防止するために、乱れがなく層流状態で流出される流れ方向の整流リブを、吐出口の内面に設ける従来技術の場合、製品出荷前にエアー漏れ検査に際し、吐出口に閉塞栓を挿入するのを前記整流リブが邪魔する問題があることにつき、吐出口における前部側の途中に径方向の切り込みを入れた部分から、吐出口下端に達する樋状の案内部、あるいはそれに代わって斜め切り口を設け、吐出口上部での吐出流が案内部、斜め切り口への流出域にて、大気への開放を伴う表面張力による前部側吐出流の後部側吐出流への合流、つまり、流束の後部側への引き締め、縮小化を図って、乱れによる飛び散りを防止する技術を開示している。
【０００７】
また、特許文献４は、吐出口を下向きに開放した二重パイプ構造とし、内側壁の後部に下端から屈曲基部近くに至るスリットを設け、吐出停止時の通気による水きれの良さから、残留液が無くなり、次の吐出時に残留液を吐出流を乱して飛び散るような問題を回避するようにした技術を開示している。特許文献５も特許文献４に類似の技術を開示している。
【０００８】
また、特許文献６は、吐出量が大小異なって設定される定量給湯モードでの各定給湯量の全般に亘る吐出流量が、吐出量が定まっていない通常給湯モード時のそれと同じであるため、コーヒーカップなどの小さな器で受けることの多い少量な定量給湯モード時ほど、吐出流量が大き過ぎて跳ね返りや飛び散りが生じやすいことにつき、定量給湯モード時の吐出流量を一律に、通常給湯モード時よりも小さくするのでは、必要な給湯時間が長くな
ってしまうところ、設定する定量の大小に応じて通常給湯モード時よりも吐出流量を小さくすることで、給湯時間が徒に長くなるのを回避しながら、吐出流量が大き過ぎてはね返りや飛び散りを防止できる技術を開示している。
【先行技術文献】
【特許文献】
【０００９】
【特許文献１】特許第２７０２５６８号公報
【特許文献２】特開平５−１１５３７５号公報
【特許文献３】特開平１０−１４７８３号公報
【特許文献４】特許第３１８０６２６号公報
【特許文献５】特開２００５−２５３６８８号公報
【特許文献６】特開２００５−１５３３８１号公報
【発明の概要】
【発明が解決しようとする課題】
【００１０】
特許文献２〜６が開示する技術は、特許文献１に開示の技術とは違いポット類に見合うものであるが、特許文献１に記載の技術とは違い、ポット類に見合う簡易な構造の吐出口構造にて、吐出流の飛び散りなどに対応する技術といえる。
【００１１】
しかし、特許文献６に記載の吐出流量による調整技術は、吐出流量が大きくなる通常給湯モードにおいて、はね返りや飛び散りが生じないような流量設定にするのでは、給湯時間が長びくし、吐出流量を上げればはね返りや飛び散りの問題が生じる。
【００１２】
特許文献４、５での整流リブに代わるスリットにより、吐出流の乱れを防止して飛び散りを解消する技術は、主として吐出口からの吐出時の乱れ防止に役立つが、吐出流が吐出手段によって付勢されていることによる、器側でのはね返りや飛び散りの防止には十分でない。
【００１３】
特許文献３での樋状案内構造を採用した、表面張力による前部側吐出流の後部側吐出流への合流による乱れ防止技術では、合流による流速の増大で却って器側でのはね返りや飛び散りの原因になりやすい。
【００１４】
特許文献２での吐出流を大気に開放した段階で、吐出口に受け入れてその途中の飛び散り防止手段に衝突させてから穴を通して自然滴下させる技術は、飛び散り防止手段への衝突で、吐出流を穴から自然滴下する状態にまで消勢するので、飛び散り防止手段下流への自然流下流量が吐出流量から大きく低下して、吐出口の上端スペースに溜まっていくことになるので、吐出口の上端から溢れないように吐出調整する必要がある上、総吐出時間が長引く原因になる。
【００１５】
本発明は、上記の問題点に鑑み、ポット類に適した簡単な構造で、吐出流の乱れや流量に影響しにくい手法で衝突勢力を低減し、吐出流の乱れや付勢が原因した、吐出口ではもとより器側でのはね返りや飛び散りを防止できる定置型ポット類の吐出口構造を提供することを課題としている。
【課題を解決するための手段】
【００１６】
本発明の吐出口構造は、吐出手段によって付勢される貯液を吐出路にてポット上部へ導きポット外に下向きに吐出する吐出開口を持った吐出口構造において、吐出開口に向かう吐出流により外気を吐出流中に吸入する外気吸入口を、吐出口を含む吐出口近傍に設けたことを１つの特徴とするものである。
【００１７】
このような構成では、吐出手段によって貯液が、吐出路により吐出口に導かれて吐出口を通じ下向きの吐出開口から吐出される際、吐出流が吐出口を含む吐出口近傍域内に作る負圧によってそこに設けられた外気吸入口を通じ吐出流内に吸入し混合させて、乱れ勢力や衝突勢力に対する緩衝作用を得た泡沫吐出が行える。また、外気の吸入混合は吐出流の吐出流量に応じて無理なく達成されるし、貯液の最大吐出流量、これに見合う外気の最大吸入量、双方を勘案した通路断面積を吐出口近傍域の外気の吸入、混合位置下流に設定しておけば、泡沫吐出上、貯液の吐出流量への影響を抑え、無くすことができる。
【００１８】
本発明の吐出口構造は、また、吐出手段によって付勢される貯液を吐出路によりポット上部へ導きポット外に下向きに吐出する吐出開口を持った吐出口構造において、吐出開口に向かう吐出流に従動して回転するスクリューを吐出口の吐出開口の上流に設けたことを別の特徴とするものである。
【００１９】
このような構成では、吐出手段によって貯液が、吐出路により吐出口に導かれて吐出口を通じ下向きの吐出開口から吐出される際、吐出口内のスクリューに沿いながらそれを従動回転させる整流化旋回流となって吐出されるので、求心性による乱れ防止と、器の底部や液面への衝突向きが斜めになることによる衝突勢力の低減が図れる。また、スクリューの回転自在度、リード角の設定により、吐出流量への影響を抑え、無くすことができる。
【００２０】
本発明の吐出口構造は、さらに、吐出手段によって付勢される貯液を吐出路によりポット上部へ導きポット外に下向きに吐出する吐出開口を持った吐出口構造において、吐出開口に向かう吐出流により外気を吐出流中に吸入する外気吸入口を、吐出口を含む吐出口近傍に設け、吐出開口に向かう吐出流を整流する手段を吐出口の吐出開口の上流に設けたことを他の特徴とするものである。
【００２１】
このような構成では、吐出手段によって貯液が、吐出路により吐出口に導かれて吐出口を通じ下向きの吐出開口から吐出される際、吐出流が吐出口を含む吐出口近傍域内に作る負圧によってそこに設けられた外気吸入口を通じ吐出流内に吸入し混合させて、乱れ勢力や衝突勢力に対する緩衝作用を得た泡沫吐出が、吐出開口上流の整流手段による整流作用をも伴い行える。また、外気の吸入混合は吐出流の吐出流量に応じて無理なく達成されるし、貯液の最大吐出流量、これに見合う外気の最大吸入量、双方を勘案した通路断面積を吐出口近傍域の外気の吸入、混合位置下流に設定しておけば、泡沫吐出上、貯液の吐出流量への影響を抑え、無くすことができる。
【００２２】
他の特徴の構成において、さらに、整流手段は、スクリューとすることができる。
【００２３】
このような構成では、上記に加え、さらに、整流手段がスクリューであると、吐出流に、泡の緩衝作用に併せ、スクリューによる別の特徴での整流旋回流作用を与えられるので、吐出流量への影響少なく、乱れのさらなる抑制と、衝突勢力のさらなる低減が図れる。
【００２４】
本発明のそれ以上の目的および特徴は、以下の詳細な説明によって明らかになる。本発明の各特徴は、それ自体単独で、あるいは可能な限り複合して採用することができる。
【発明の効果】
【００２５】
本発明の吐出口構造の１つの特徴によれば、吐出手段によって貯液が吐出口を通じ吐出される際、吐出流が作る負圧によって外気吸入口を通じ吐出流内に吸入し混合させるので、乱れ勢力や衝突勢力に対する緩衝作用を得た泡沫吐出が行え、吐出開口で乱れたり、器側ではね返ったり、飛び散ったりするのを防止できる。また、吐出口近傍に外気吸入口を設けるだけの単純かつ嵩張らない安価な構成で実現する上、貯液、空気混合流の吐出流ボリュームに見合う通路断面積として泡沫吐出上、貯液の吐出流量への影響を抑え、無くすことができ、吐出液を小さな器で受けるのに特に好適となる。
【００２６】
本発明の吐出口構造の別の特徴によれば、吐出手段によって貯液が吐出口を通じ吐出される際、吐出口内のスクリューに沿いながらそれを従動回転させる整流化旋回流となって、求心性による乱れ防止と、器の底部や液面に斜めに衝突して衝突勢力の低減による器の底部や液面でのはね返りや飛び散りを防止することができる。また、吐出口内に単純なスクリューを設けるだけの簡単かつ嵩張らない安価な構造で実現する上、スクリューの回転自在度、リード角の設定により、吐出流量への影響を抑え、無くすことができる。
【００２７】
本発明の吐出口構造の他の特徴によれば、１つの特徴の前記利点ある特徴の泡沫吐出が、吐出開口上流の整流手段による整流作用をも伴い行って、泡沫吐出される吐出流を安定な層流として乱れや吐出域の広がりを抑えられる。吐出流の乱れや飛び散りをさらに防止できる。
【００２８】
ここに、整流手段がスクリューであれば吐出流に、泡の緩衝作用に併せ、スクリューによる整流旋回流作用を与えられるので、吐出流量への影響少なく、乱れのさらなる抑制と、衝突勢力のさらなる低減が図れる。
【図面の簡単な説明】
【００２９】
【図１】本発明の実施の形態に係る吐出口構造の１つの具体例を採用した電気ポットの断面図である。
【図２】図１の例の吐出口構造部を示す断面図である。
【図３】本発明の実施の形態に係る吐出口構造の別の具体例を採用した電気ポットの要部断面図である。
【図４】図３の例の吐出口構造部を示す断面図である。
【図５】本発明の実施の形態に係る吐出口構造の他の具体例を採用した電気ポットの要部断面図である。
【図６】図５の例の吐出口構造部を示す断面図である。
【発明を実施するための形態】
【００３０】
本発明の実施の形態に係る吐出口構造につき、図１〜図６に示す幾つかの例と共に詳細に説明し本発明の理解に供する。以下の説明は本発明の具体例であって、特許請求の範囲の記載事項を限定するものではない。
【００３１】
本実施の形態の吐出口構造は、図１に代表して示す吐出手段１によって付勢される貯液２を吐出路６によりポット１００上部へ導き、図１、図２の例、図５、図６の例のように、ポット１００外に下向きに吐出する吐出開口３ａ持った吐出口３の構造であって、吐出開口３ａに向かう吐出流２ａにより図２、図６に例示するように外気４を吐出流２ａ中に吸入する外気吸入口５を、吐出口３を含む吐出口近傍に設けてある。これにより、吐出手段１によって貯液２が、吐出路６により吐出口３に導かれて吐出口３を通じ下向きの吐出開口３ａから吐出される際、吐出流２ａが吐出口３を含む吐出口近傍域内に負圧を作る。この負圧によってそこに設けられた外気吸入口５を通じ吐出流２ａ内に吸入し混合させる。この混入した外気は吐出流２ａ内で泡となるので、吐出流２ａの乱れ勢力や衝突勢力に対する緩衝作用を得た泡沫吐出が行える。また、外気４の吸入混合は吐出流２ａの吐出流量に応じて無理なく達成されるし、貯液２の最大吐出流量、これに見合う外気４の最大吸入量、双方を勘案した通路断面積を吐出口３近傍域の外気４の吸入、混合位置下流に設定しておけば、泡沫吐出上、貯液２の吐出流量への影響を抑え、無くすことができる。
【００３２】
したがって、吐出手段１によって貯液２が吐出口３を通じ吐出される際、吐出流２ａが作る負圧によって外気吸入口５を通じ吐出流２ａ内に吸入し混合させるので、乱れ勢力や衝突勢力に対する緩衝作用を得た泡沫吐出が行え、吐出開口３ａで乱れたり、器側ではね返ったり、飛び散ったりするのを防止できる。また、吐出口３近傍に外気吸入口５を設けるだけの単純かつ嵩張らない安価な構成で実現する上、貯液、空気混合流の吐出流ボリュームに見合う通路断面積として泡沫吐出上、貯液の吐出流量への影響、従って必要吐出時間が長引くのを抑え、無くすことができ、吐出液を小さな器で受けるのに特に好適となる。さらに、吐出液中の溶存異物は混合空気中に揮発したり、逆に沸騰によって失われた有効ガス成分を混合空気中から溶け込ませられ、吐出した湯が美味しくなる。
【００３３】
本実施の形態の吐出口構造は、また、図１、図２に示す例、図３、図４に示す例のように、吐出手段１によって付勢される貯液２を吐出路６によりポット１００上部へ導きポット１００外に下向きに吐出する吐出開口３ａを持った吐出口３の構造において、吐出開口３ａに向かう吐出流２ａに従動して回転するスクリュー１１を吐出口３の吐出開口３ａの上流に設けている。これにより、吐出手段１によって貯液２が、吐出路６により吐出口３に導かれて吐出口３を通じ下向きの吐出開口３ａから吐出される際、吐出口３内のスクリュー１１に沿いながらそれを従動回転させる整流化旋回流となって吐出される。このように吐出流２ａを図２、図４に例示するような整流化旋回流２ｂとすることによって、旋回求心性による乱れ防止と、器の底部や液面への衝突向きが斜めになることによる衝突勢力の低減が図れる。また、スクリューの回転自在度、リード角の設定により、吐出流量への影響を抑え、無くすことができる。
【００３４】
したがって、吐出手段１によって貯液２が吐出口３を通じ吐出される際、吐出口３内のスクリュー１１に沿いながらそれを従動回転させる整流化旋回流２ｂとなって、求心性による乱れ防止と、器の底部や液面に斜めに衝突して衝突勢力の低減による器の底部や液面でのはね返りや飛び散りを防止することができる。また、吐出口３内に単純なスクリュー１１を設けるだけの簡単かつ嵩張らない安価な構造で実現する上、スクリュー１１の回転自在度、リード角の設定により、吐出流量への影響を抑え、無くすことができる。
【００３５】
ここで、図１、図２に示す例は、外気吸入口５とスクリュー１１を併用したものとなっており、泡沫吐出による利点と、スクリュー１１により吐出流２ａを整流旋回流２ｂとすることによる利点とを併せ発揮するものとなり、吐出開口３ａでの乱れや飛散はもとより、器の底部や液面でのはね返り、飛び散りをさらに防止しやすくなる。
【００３６】
なお、スクリュー１１は整流機能に併せ、吐出流２ａの旋回を与える手段であるが、図５、図６に示すような吐出流２ａの吐出方向に向くリブ２１などの整流手段で代替しても有効である。そこで、本実施の形態の吐出口構造は、図５、図６に示すように、吐出手段１によって付勢される貯液を吐出路６によりポット１００上部へ導きポット１００外に下向きに吐出する吐出開口３ａを持った吐出口３の構造において、吐出開口３ａに向かう吐出流２ａにより外気４を吐出流２ａ中に吸入する外気吸入口５を、吐出口３を含む吐出口近傍に設け、吐出開口３ａに向かう吐出流２ａを整流するリブ２１などの整流手段を吐出口３の吐出開口３ａの上流に設けたものとすることができる。
【００３７】
これにより、吐出手段１によって貯液２が、吐出路により吐出口３に導かれて吐出口３を通じ下向きの吐出開口３ａから吐出される際、吐出流２ａが吐出口３を含む吐出口近傍域内に作る負圧を作る。この吐出口３近傍域内につくられる負圧によってそこに設けられた外気吸入口５を通じ吐出流２ａ内に吸入し混合させる。吐出流２ａに混合する外気４は
泡となるので乱れ勢力や衝突勢力に対する緩衝作用を得た泡沫吐出できる。併せ、吐出開口３ａ上流のリブ２１などの整流手段による整流作用をも伴い行って、泡沫吐出される吐出流２ａを安定な層流として乱れや吐出域の広がりを抑えられる。また、外気４の吸入混合は吐出流２ａの吐出流量に応じて無理なく達成されるし、貯液２の最大吐出流量、これに見合う外気の最大吸入量、双方を勘案した通路断面積を吐出口３近傍域の外気４の吸入、混合位置下流に設定しておけば、泡沫吐出上、貯液の吐出流量への影響を抑え、無くすことができる。
【００３８】
ここで、リブ２１などの整流手段に捻りを与えると、吐出流２ａに対する整流機能に併せ旋回流とすることが、スクリューに依らないで実現し、構成の簡略化、低コスト化が図れる。
【００３９】
以下、図示する実施の形態について、さらに具体的に説明する。図１、図２の例の吐出口３の構造は、ヒータ３１により貯液２を加熱して湯沸かしや保温を行って貯湯し、吐出手段１としての電動ポンプ１ａまたは手動ポンプ１ｂの動作で吐出して使用されるようにする定置型のポット１００に適用したもので、いわゆる家庭用の電気ポットの一例である。貯液２は外装ケース３２に収容した金属製の真空二重容器などである内容器３３に収容して、底部まわりからヒータ３１によって加熱し、湯沸かしや保温を行う。内容器３３はその底部に既述の吐出路６の基部を下方から接続されて、吐出路６途中の電動ポンプ１ａに貯液２が流れ込むようになっている。吐出路６は電動ポンプ１ａの下流で外装ケース３２および内容器３３の底部間から、外装ケース３２および内容器３３の胴部間で立ち上がり、外装ケース３２および内容器３３の上端間を繋いでポット本体３４をなす肩部３２ａから前方に張り出した張出し部３２ｂの基部から先端部に向け前方へ屈曲した後、吐出口３に繋がっている。これにより、図示しない給湯スイッチのオンによって電動ポンプ１ａが駆動されて貯液２が遠心ポンプ方式で吐出路６に送り出されると、貯液２は吐出口３を通じてその下端の吐出開口３ａから吐出される。
【００４０】
肩部３２ａは、ポット本体３４の内容器３３の口部に繋がる貯液給排用の上端開口３５を形成しており、この上端開口３５を開閉する蓋体３６の後部をヒンジピンで開閉できるように連結している。蓋体３６は、前部に閉じると閉じ状態に自動的にロックされ、必要に応じロックを解除されるロック機構３７が設けられ、不用意に開くのは勿論、閉じ状態から浮くようなことも防止している。蓋体３６は、さらに、閉じ状態で内容器３３内で発生する蒸気を外部に逃がす蒸気通路３６ｂが設けられるのに併せ、前記手動ポンプ１ｂをベローズポンプ式として内蔵し、押圧板３６ａの押圧操作を受けて収縮したとき、これに連動する切換え弁３８により蒸気通路３６ｂを閉じるのと同時に内容器３３内に通じて、収縮に伴い送り出す空気を内容器３３内に供給することで貯液２を加圧し、貯液２を吐出路６から吐出口３を経て吐出開口３ａを通じ吐出させられる。手動ポンプ１ｂ、切換え弁３８は押圧操作解除によって図示しない復帰ばねの付勢で復帰するようになっている。
【００４１】
電動ポンプ１ａ、手動ポンプ１ｂは、吐出手段としていずれか一方あればよいが、併設していることにより、電源のあるところでは自動吐出の利便性を活かしながら、電源のないところでは手動ポンプ１ｂで対応できる利便性も得られるなど、自由に使い分けができる。これら電動ポンプ１ａ、１ｂのいずれであっても、貯液２の吐出には吐出流２ａに既述の付勢が働いてしまう。特に、手動ポンプ１ｂによる吐出時は、初期操作がつい力の入ったものとなって、過剰加圧になることがあるなど安定せず、本発明の工夫した吐出口３の構造は重要である。
【００４２】
吐出口３は図２に示すように、途中域で、閉じた上流側から吐出開口３ａの側に下端４１ａが開放した環状空間４１を形成する二重パイプ部４２を持ち、この二重パイプ部４２の外壁４２ａの周方向に等配した複数の外気吸入口５を設けてある。これにより、吐出口３を通じて吐出される吐出流２ａが、吐出口３内の環状空間４１の下端４１ａをその下の吐出開口３ａ側に通過していく際に作られる負圧による引圧が、環状空間４１を通じて外気吸入口５にロスなく確実に及んで外気４を十分に吸引し、吐出流２ａに吸入、混合されるようにできる。従って、吐出流量に見合った外気４が混合され、吐出流２ａの乱れや、はね返り、飛び散りの防止に好適である。また、二重パイプ部４２の内壁４２ｂは、吐出流２ａが外気吸入口５から隔絶させているので、吐出流２ａが持つ吐出圧によって外気吸入口５から外部へ逆流するようなことを回避するのに役立つ。これは、吐出流２ａがスクリュー１１やその他の整流手段との接触によって抵抗を受けて昇圧するようなことがあっても逆流しないようにできることを意味する。
【００４３】
二重パイプ部４２は、図示例の場合、吐出路６の立ち上がり部に接続した逆Ｕ字管６ａの転倒時、前傾時止水弁４３から前方へ延びて下向きに屈曲した吐出口基部３ｂを内壁４２ｂとし、その外側に別体の外壁４２ａを嵌め合せて吐出口基部３ｂよりも下方に長く延ばして構成している。また、スクリュー１１は、支持軸４４まわりに回転自在に装着した樹脂製部材としてあり、支持軸４４の上下端を吐出口３内に支持するのに、外壁４２ａの下端に嵌め合せた延長筒４５を設けて吐出開口３ａ近くに一体形成した下軸受部４６と、延長筒４５の上端と外壁４２ａ下端との間に保持した上軸受部４７とで支持軸４４の上下端を上下から支持するようにしている。下軸受部４６は延長筒４５に周方向複数のリブ４５ａで繋がるように一体形成され、上軸受部４７は延長筒４５の上端と外壁４２ａ下端との間に保持されたリング４９に周方向複数のリブ４９ａで繋がるように一体形成されている。しかし、これらに限られることはなく、各分割構造は必要に応じ一体形成することもできる。なお、下軸受部４６のリブ４５ａはスクリュー１１による整流旋回流２ｂを乱さないように、整流旋回流２ｂに沿った捩じりを持つ捩じり形状にするのが好適である。上軸受部４７のリブ４９ａは吐出流２ａを直流に整流してスクリュー１１に向かわせる整流手段となっている。スクリュー１１はリード角が軸線に対してほぼ３０度前後、前後のブレード長さがほぼ１ピッチ分あれば十分であり、吐出流２ａの吐出流量への影響を抑え、またなくせる。
【００４４】
図３、図４に示す例では、スクリュー１１を設けただけで、図１、図２に示す例での二重パイプ部４２を持っているが、外壁４２ａの外気吸入口５は省略しており、延長筒４５の上端は外壁４２ａ、内壁４２ｂの下端間に嵌め合せ、上軸受部４７は内壁４２ｂの下端に一体形成した点で、図１、図２に示す例と異なっている。しかし、本例では外壁４２ａは必須とならない。
【００４５】
図５、図６に示す例では、吐出口３は、逆Ｕ字管６ａの転倒時、前傾時止水弁４３から前方へ延び屈曲部６ｂを経て下向きとなった単独パイプからなり、屈曲部６ｂの上方から吐出口３内に貫通した外気吸入パイプ５１を有し、外気吸入パイプ５１は上端が外部に下端が吐出口３内に開放され、吐出口３内に臨んだ部分に、周方向、縦方向に等配した外気吸入口５が設けられている。これにより、吐出路６からの吐出流２ａは屈曲部６ｂに至って以降、吐出口３内面と外気吸入パイプ５１外面とに濡れ沿って整流され、リブ２１を省略しても外気吸入パイプ５１が整流手段となって乱れなく吐出される。それには、図示するように吐出口３と外気吸入パイプ５１とは同心であるのがよく、屈曲部６ｂから吐出路６側の通路断面積よりも吐出口３と外気吸入パイプ５１との間の通路断面積を同等以下に設定するのが好適である。屈曲部６ｂから吐出路６側の通路断面積よりも吐出口３と外気吸入パイプ５１との間の通路断面積が小さくなると、吐出流２ａをさらに付勢することになるが、吐出口３内面と外気吸入パイプ５１外面とに濡れ沿う吐出流２ａは吐出口３内に外気吸入パイプ５１の外気吸入口５、下端開放部を通じて外気吸入パイプ５１内に強い引圧を及ぼす負圧を発生させるので、吐出口３内の周方向、縦方向各所から吐出流２ａ内に外気４を吸入して混合させるので、外気４の混合率、混合分布の均等性が共に高く、吐出時の乱れ防止、器側でのはね返りや飛び散りの防止を十分に達成することができる。吐出
口３の下端の後部に水切り用のスリット５２を設けてある。
【産業上の利用可能性】
【００４６】
本発明は、定置型電気ポットなどで内容液を吐出手段による付勢を伴い吐出させる吐出口に適用して、簡単かつ小型で安価な構造にて、吐出の際の乱れ、器側でのはね返りや飛び散りを防止することができる。
【符号の説明】
【００４７】
１  吐出手段
１ａ  電動ポンプ
１ｂ  手動ポンプ
２  貯液
２ａ  吐出流
２ｂ  整流旋回流
３  吐出口
３ａ  吐出開口
４  外気
５  外気吸入口
６  吐出路
６ｂ  屈曲部
１１  スクリュー
２１  リブ
３１  ヒータ
４１  環状空間
４２  二重パイプ部
５１  外気吸入パイプ
１００  ポット
【図１】
2011092608.tif 000003
【図２】
2011092608.tif 000004
【図３】
2011092608.tif 000005
【図４】
2011092608.tif 000006
【図５】
2011092608.tif 000007
【図６】
2011092608.tif 000008